(57)【要約】【課題】  ケース内に圧電体振動子及びノズルを多数装着してるため、隣り合ったノズルから発生した霧化粒子が互いに干渉して液面に落下したり、側壁に衝突して落下し、吸引口から排出される霧化粒子が少なく、霧化効率が非常に悪いという問題があった。【解決手段】  ケースの一端に該ケースとほぼ同じ幅の送風口を形成し、他端に前記ケースとほぼ同じ幅の吸引口を形成し、送風口と吸引口の間に形成したケースの支持板に、送風口から吸引口の方向に僅かに傾斜したノズルをそれぞれ装着した多数の圧電体振動子を多数列装着し、前記ケースの支持板の上から霧化液体供給口から霧化液体を供給し、ノズル及び圧電体振動子の隣り合った列を遮断するように、霧化液体の上方にで、ノズル及び圧電体振動子の隣り合った列の間に仕切板を装着し、送風口から送風する気体はノズルの上端より上方を通過し、仕切板の間を通って上方に送風するものである。【選択図】図１
2006205101.tif 000002
【特許請求の範囲】
【請求項１】
ケースの一端に該ケースとほぼ同じ幅の送風口を形成し、他端に前記ケースとほぼ同じ幅の吸引口を形成し、前記送風口と吸引口の間に形成した前記ケースの支持板に、前記送風口から吸引口の方向に僅かに傾斜したノズルをそれぞれ装着した多数の圧電体振動子を多数列装着し、かつ常に前記ケースの支持板の上から前記ノズルの上端より僅か下方のレベルになるように霧化液体供給口から霧化液体を供給し、前記ノズル及び圧電体振動子の隣り合った列を遮断するように、前記霧化液体の上方において、前記ノズル及び圧電体振動子の隣り合った列の間にそれぞれ仕切板を装着し、前記送風口から送風する気体は前記ノズルの上端より上方を通過し、前記仕切板の間を通って上方に送風するように構成することを特徴とする超音波霧化分溜装着。
【請求項２】
前記仕切板は、送風口から吸引口に向けて順次低くなっているように構成することを特徴とする請求項１記載の超音波霧化分溜装置。
【請求項３】
前記送風口側の前記仕切板は前記他の仕切板の上部を覆うように構成されていることを特徴とする請求項１記載の超音波霧化分溜装置。
【請求項４】
前記１つの列のノズルを装着した前記多数の圧電体振動子が前記隣り合った列の多数の圧電体振動子の間に位置するように構成することを特徴とする請求項１記載の超音波霧化分溜装置。
【発明の詳細な説明】
【技術分野】
【０００１】
本発明は、多数列に装着した圧電体振動子に円錐状ノズルを装着し、圧電体振動子を駆動して、ノズルから噴出した霧化粒子を回収して分溜する超音波霧化分溜装置に関するものである。
【背景技術】
【０００２】
この種の超音波霧化装置としては、図３に示すように、ケース１の側壁１ａの上部に送風口１ｂを形成し、側壁１ａの対向する側壁１ｃに吸引口１ｄを形成し、ケース１の底部に水平部１ｅより僅かに傾斜した複数の傾斜部１ｆを形成し、この傾斜部１ｆの下部にそれぞれ圧電体振動子２を装着し、又、傾斜部１ｆにそれぞれ圧電体振動子２より小径の孔１ｇを形成し、傾斜部１ｆの上部に、それぞれの傾斜と同方向に傾斜した円錐状のノズル３を装着し、さらに、ノズル３の上端より僅かに下側まで霧化液体４が常に一定のレベルになるように供給され、又、圧電体振動子２に発振器５から発振出力を印加したものを本出願人が提案している。
【０００３】
このように構成された従来の超音波霧化装置では、発振器４から圧電体振動子２に発振出力が供給されると、圧電体振動子２から超音波が発生し、ノズル３と傾斜部１ｆの間に形成された霧化液体注入口３ａから注入された霧化液体５はノズル３から噴出して、霧化粒子４ａが発生し、この霧化粒子４ａは送風口１ｂから供給された送風によって吸引口１ｄから吸引され、図示しない回収装置によって回収される。
【０００４】
しかしながら、このように従来の超音波霧化装置では、ケース１内に多数の圧電体振動子２及びノズル３を装着した場合、隣り合った圧電体振動子２とノズル３の間隔が狭いため、送風口１ｂ側のノズル３から噴出された霧化粒子が次のノズル３から発生した霧化粒子と衝突して、霧化粒子の径が大きくなり、吸引口１ｄから排出されないで、霧化液体５の液面に落下したり、側壁１ｃに衝突して、吸引口１ｄから排出される霧化粒子が少なくなり、霧化効率がわるいという問題があり、又、ケース内が湿度飽和状態になり、それ以上霧化量が増えないという問題があった。
【特許文献１】特願２００４−３２０６３１
【発明の開示】
【発明が解決しようとする課題】
【０００５】
解決しようとする問題点は、提案された超音波霧化装置では、ケース内に圧電体振動子及びノズルを多数装着してるため、隣り合ったノズルから発生した霧化粒子が互いに干渉して液面に落下したり、側壁に衝突して落下し、吸引口から排出される霧化粒子が少なく、霧化効率が非常に悪いという問題があり、ケース内が湿度飽和状態となり、それ以上霧化量が増えないという問題があった。
【課題を解決するための手段】
【０００６】
本発明では、ケースの一端に該ケースとほぼ同じ幅の送風口を形成し、他端に前記ケースとほぼ同じ幅の吸引口を形成し、送風口と吸引口の間に形成したケースの支持板に、送風口から吸引口の方向に僅かに傾斜したノズルをそれぞれ装着した多数の圧電体振動子を多数列装着し、かつ常に前記ケースの支持板の上からノズルの上端より僅か下方のレベルになるように霧化液体供給口から霧化液体を供給し、ノズル及び圧電体振動子の隣り合った列を遮断するように、霧化液体の上方において、ノズル及び圧電体振動子の隣り合った列の間にそれぞれ仕切板を装着し、送風口から送風する気体はノズルの上端より上方を通過し、仕切板の間を通って上方に送風するものである。
【発明の効果】
【０００７】
本発明の超音波霧化分溜装置では、送風口をケースの幅とほぼ同じ幅に設け、ケースの支持板に装着した多数列の圧電体振動子とノズルの間にそれぞれ仕切板を装着することにより、隣り合ったノズルから発生する霧化粒子が干渉することなく送風され、ケースの支持板に装着した多数列の圧電体振動子とノズルを１列毎に１つ分だけずらして装着することにより、隣り合った列のノズルから発生した霧化粒子が違いに干渉することなく排出されるという利点がある。
【発明を実施するための最良の形態】
【０００８】
本発明では、ケースの一端に該ケースとほぼ同じ幅の送風口を形成し、他端に前記ケースとほぼ同じ幅の吸引口を形成し、送風口と吸引口の間に形成したケースの支持板に、送風口から吸引口の方向に僅かに傾斜したノズルをそれぞれ装着した多数の圧電体振動子を多数列装着し、１つの列のノズルを装着した多数の圧電体振動子が隣り合った列の多数の圧電体振動子の間に位置するように構成し、常に前記ケースの支持板の上からノズルの上端より僅か下方のレベルになるように霧化液体供給口から霧化液体を供給し、ノズル及び圧電体振動子の隣り合った列をそれぞれ遮断するように、霧化液体の上方で、ノズル及び圧電体振動子の隣り合った列の間にそれぞれ仕切板を装着し、送風口から送風する気体はノズルの上端より上方を通過し、仕切板の間を通って上方に送風するものである。
【実施例】
【０００９】
図１は本発明の実施例の超音波霧化分溜装置の側面図、図２は図１の超音波霧化分溜装置の平面図で、ケース６の一端にケース６の幅とほぼ同じ幅の送風口７が形成され、この送風口７は送風管８を介して送風装置９に接続され、又、ケース６の他端にケース６の幅の吸引口１０が形成され、この吸引口１０は霧化粒子を吸引して回収する吸引回収装置１１に接続され、さらに、ケース６の送風口７と吸引口１０の間に形成した支持板１２に吸引口１０の方向に傾斜した多数列の傾斜部１２ａが形成され、これらの傾斜部１２ａにそれぞれノズル１３を装着した圧電体振動子１４が装着され、このノズル１３を装着した圧電体振動子１４は多数列装着され、さらに、隣り合った列はノズル１３を装着した圧電体振動子１４が互いに１つ分だけずれており、又、霧化液体供給装置１５からケース６内に設けた供給口１５ａを介して霧化液体１６が供給され、この霧化液体１６は常にノズル１３の上端から僅かに下方になるように供給されており、さらに、支持板１２の下方に装着した発振器１７から圧電体振動子１４に発振出力が印加され、又、霧化液体１６の液面の上方に、ノズル１３装着した圧電体振動子１４の前後の列を互いに遮断するように多数の仕切板１８を装着し、これら多数の仕切板１８はノズル１３の傾斜とほぼ同じ傾斜で構成され、さらに、これらの仕切板１８の先端は送風口７側の仕切板１８ａが高く、吸引口１０に近い仕切板１８ｂは最低になるように構成され、仕切板１８ａから徐々に低くなるように傾斜し、仕切板１８ａの先端は折り曲げられて覆い板１８ｃが構成されて、仕切板１８全体を覆うように構成され、仕切板１８ａの覆い板１８ｃの端部は吸引口１０の上部の壁に接続され、又、仕切板１８ｂの先端は折り曲げられて吸引口１０の端部に接続されている。
【００１０】
このように構成された本実施例の超音波霧化分溜装置では、発振器１７から発振出力が圧電体振動子１４に印加されると、圧電体振動子１４で発生した超音波振動はノズル１３によって絞られてケース６の上方に噴出されるが、隣り合った列のノズル１３が互いにずれており、又、隣り合ったノズル１３の間に仕切板１８が設けられているため、ノズル１３より噴出された霧化粒子は互いにぶつかり合うことが無く、そのままの状態でケース６の幅に広がった送風口７から送風された気体によって仕切板１８の上方に送られ、覆い板１８ｃの下を通り、互いに干渉することなく、ケース６の幅に広がった吸引口１０から吸引されるので、霧化粒子が大きくなって霧化液体１６の面に落下せずに吸引回収装置で１１で全て回収され、霧化効率が非常に向上するという利点がある。
【産業上の利用可能性】
【００１１】
なお、上記実施例において、隣り合った列のノズル１３及び圧電体振動子１４が互いにずれているように説明したが、仕切板１８があるので、隣り合った列のノズル１３及び圧電体振動子１４はずれていなくてもよく、又、霧化液体供給装置１５から供給される液体がケース６の支持板１２の上方のノズル１３の噴出口の下方で、ほぼ常に一定になるようにする液面調節手段として、液面センサによるものや浮きによるもの等が考慮される。
【図面の簡単な説明】
【００１２】
【図１】本発明の実施例の超音波霧化分溜装置の側面図である。
【図２】図１の超音波霧化分溜装置の平面図である。
【図３】本出願人が提案した超音波霧化装置の側面断面図である。
【符号の説明】
【００１３】
６                ケース
７                送風口
８                送風管
９                送風装置
１０              吸引口
１１              吸引回収装置
１３              ノズル
１４              圧電体振動子
１５              霧化液体供給装置
１６              霧化液体
１７              発振器
１８              仕切板
【図１】
2006205101.tif 000003
【図２】
2006205101.tif 000004
【図３】
2006205101.tif 000005